(57)【特許請求の範囲】
【請求項１】
外枠(A)に組付けられる前枠(B)の前側に、窓枠(C)と上球皿(E)および下球皿(F)が装備されると共に、前枠(B)の開口領域(11)裏側に位置するセット枠(12)に、パチンコゲームを展開し得る遊技盤(D)がセットされ、セット枠(12)下部の遊技補助盤(20)前面に取着された発射レール(26)上端と遊技盤(D)前面に取着された案内レール(28)下端との間にファール球口(31)が開口された遊技機において、
前記遊技補助盤(20)に形成され、前記ファール球口(31)内に落ちたファール球を受入れ得る受け口(32)と、
前記遊技補助盤(20)における受け口(32)の下方に形成され、前記受け口(32)からのファール球を回収して前記下球皿(F)側へ排出し得る球回収口(33)と、
前記遊技補助盤(20)の前側に取着され、前記受け口(32)および前記球回収口(33)を覆蓋し得るカバー部材(34)と、
前記遊技補助盤(20)とカバー部材(34)との間に形成され、球案内および異物侵入防止を図る案内防止壁(35)とを備え、
前記受け口(32)は、前記遊技補助盤(20)の前面上部において該補助盤(20)に成形されて正面Ｌ形の第１案内壁(55)と、前記発射レール(26)の上端に配設した当受片(30)とにより、前記ファール球口(31)に連通して上方に開口したコ字形状に画成され、
前記案内防止壁(35)は、前記受け口(32)を形成する前記第１案内壁(55)と、この第１案内壁(55)における通出口(59)の一端部から前記球回収口(33)の上方へ形成された正面Ｌ形状の第２案内壁(56)と、前記第１案内壁(55)における通出口(59)の他端部から遊技補助盤(20)の下端部まで形成されたＬクランク形状の第３案内壁(57)とから構成され、第２案内壁(56)および第３案内壁(57)により前記カバー部材(34)に覆蓋されるＬ形のファール球案内路(58)が形成されると共に、第１案内壁(55)、第２案内壁(56)および第３案内壁(57)の前端部が、カバー部材(34)の裏面に密着される
ことを特徴とするパチンコ遊技機の球処理不正防止構造。
【請求項２】
前記カバー部材(34)は、前記案内防止壁(35)の形状に合致する形状に形成された壁(43)を境界として、この壁(43)の下方手前側に形成された第１蓋壁(44)と、この第１蓋壁(44)と前後段差状態に該壁(43)の上方奥側に形成された第２蓋壁(45)とからなる樹脂成形された本体(42)の一部に、前記遊技補助盤(20)の前側に形成された係止部(39)に対して係脱可能に係合し得る係合部(48)を形成し、
前記遊技補助盤(20)の前側操作において、前記係止部(39)と係合部(48)との係脱を利用してカバー部材(34)が着脱可能にセットし得るようにした請求項１記載のパチンコ遊技機の球処理不正防止構造。
【請求項３】
前記球回収口(33)の裏側には、前記前枠(B)と該前枠(B)の裏側に装着された機構セット盤(I)とにより、該球回収口(33)と前記下球皿(F)に開口する給出口(15)とを連通する回収路(36)が形成され、
前記回収路(36)は、前記前枠(B)から後側へ突出した庇片部(37)と前記機構セット盤(I)から前側へ突出した庇片部(38)とにより側面屈曲状態に延在している請求項１または２記載のパチンコ遊技機の球処理不正防止構造。
【発明の詳細な説明】
【０００１】
【発明の属する技術分野】
この発明は、パチンコ遊技機の球処理不正防止構造に係り、更に詳細には、機内にセットされた遊技盤内でパチンコゲームを展開し得る遊技機において、ファール球の処理を図ると共に、遊技盤内への異物の不正侵入を防止するようにした球処理不正防止構造に関するものである。
【０００２】
【従来の技術】
周知のように従来から実施されているパチンコ機では、球送り装置と打球発射装置の協働により、上球皿内の遊技球を機内の発射レールの発射部位に１球ずつ送込んで同部位から遊技盤の案内レール内の遊技領域に打出してゲームを行ない得るようになっている。また、ゲーム中に遊技領域で発生した入賞球(セーフ球)に対する賞球は、上球皿側ヘ優先的に排出され、同皿側が満杯状態になった以後は、余剰分の賞球を下球皿側へ排出して貯留させ得るようになっている。
【０００３】
そしてこのようなパチンコゲーム中においては、多かれ少なかれ一般にファール球または戻り球とも呼ばれている非遊技球、つまり発射部位から１球ずつ打出されたものの、打球力(発射飛走力)不足等に起因して遊技領域内に適正に到達し得ないまま案内レールに沿って降下して発射レール側へ逆戻りしようとする非遊技球が、不定期ではあるが必ずといって発生している。このため何れのパチンコ機においても、発射レールの上端と案内レールの下端との間に、前述したファール球用のファール球口(戻し口ともいう)が適宜離隔開口広さで形成されており、このファール球口に落下した全てのファール球をこのファール球口に受入れ、発射部位側への逆戻りや、ひいては次に発射される遊技球との干渉を回避し得るようになっている。
【０００４】
【発明が解決しようとする課題】
ところで、前述した従来のパチンコ機におけるファール球の処理技術については、一般的に実施されている例として、遊技盤を収容セットする収容保持枠における遊技補助盤の前面に、該遊技補助盤の下部中央に形成した回収口と前記ファール球口との間を連通するファール球回収樋を形成または配置し、ファール球口に受入れた全てのファール球を回収口を介して一旦裏側へ通出し、最終的には球出口を介して下球皿側へ排出して回収処理するようになっている。しかるに前記ファール球回収樋は、遊技機の前面側へ全面的に開口した状態に形成されており、遊技補助盤に対して上球皿を閉成した際に、該上球皿の背面側の開閉板が前記ファール球回収樋の開口部位を前側から覆蓋することで、ファール球の通出案内を図り得るようになっている。このため、例えば前記ファール球口や球回収口付近にファール球が停留した状態で前記上球皿を開放した場合には、これらのファール球が機前側に零れてしまう不都合があった。
【０００５】
また、何れのパチンコ機においても、前記ファール球口の略真下に回収口が位置しているので、前記ファール球回収樋も略垂直にかつ直線状に形成されている。しかも、前記球出口が前記回収口の真下に位置しているので、前記ファール球口,回収口および球出口は、略上下の直線状に位置している。このため遊技機前面側において、遊技盤の遊技領域に対する不正行為が行われ易い問題があった。すなわち不正者は、棒線状の異物(ワイヤ等)を使用する異物不正侵入操作として、異物を巧みに操りながら、該異物を下球皿の皿内から前記球出口および回収口を介して遊技補助盤の前面に通出させた後、ファール球回収樋を介して前記ファール球口内へ延出させる。そして、ファール球口内に延出させた異物を遊技盤の案内レールとガラス扉の内側ガラス板との間を通して遊技領域内に到達させ、目標とする遊技部品(例えばチューリップタイプの開閉入賞装置)の羽根等を異物で不正に開放させることで、不正なゲームによる利益を得ようとするのである。従って、このような不正行為を好適に阻止する技術が希求されていた。
【０００６】
【発明の目的】
本発明は、前述した課題を好適に解決するべく新規に提案されたもので、パチンコゲーム中に発生したファール球の好適な処理を図ると共に、機前側での不正操作による棒線状異物の遊技盤内への侵入を防止し得るようにしたパチンコ遊技機の球処理不正防止構造を提供することを目的とする。
【０００７】
【課題を解決するための手段】
前述した課題を克服し、所期の目的を達成するため本発明に係るパチンコ遊技機の球処理不正防止構造は、
外枠に組付けられる前枠の前側に、窓枠と上球皿および下球皿が装備されると共に、前枠の開口領域裏側に位置するセット枠に、パチンコゲームを展開し得る遊技盤がセットされ、セット枠下部の遊技補助盤前面に取着された発射レール上端と遊技盤前面に取着された案内レール下端との間にファール球口が開口された遊技機において、
前記遊技補助盤に形成され、前記ファール球口内に落ちたファール球を受入れ得る受け口と、
前記遊技補助盤における受け口の下方に形成され、前記受け口からのファール球を回収して前記下球皿側へ排出し得る球回収口と、
前記遊技補助盤の前側に取着され、前記受け口および前記球回収口を覆蓋し得るカバー部材と、
前記遊技補助盤とカバー部材との間に形成され、球案内および異物侵入防止を図る案内防止壁とを備え、
前記受け口は、前記遊技補助盤の前面上部において該補助盤に成形されて正面Ｌ形の第１案内壁と、前記発射レールの上端に配設した当受片とにより、前記ファール球口に連通して上方に開口したコ字形状に画成され、
前記案内防止壁は、前記受け口を形成する前記第１案内壁と、この第１案内壁における通出口の一端部から前記球回収口の上方へ形成された正面Ｌ形状の第２案内壁と、前記第１案内壁における通出口の他端部から遊技補助盤の下端部まで形成されたＬクランク形状の第３案内壁とから構成され、第２案内壁および第３案内壁により前記カバー部材に覆蓋されるＬ形のファール球案内路が形成されると共に、第１案内壁、第２案内壁および第３案内壁の前端部が、カバー部材の裏面に密着されることを特徴とする。
【０００８】
【作用】
ファール球口に連通する受け口と、ファール球を下球皿側へ通出する球回収口と、これら受け口と球回収口との間に形成された案内防止壁とを覆蓋した状態で、カバー部材を遊技補助盤に取着する。これにより、受け口や球回収口付近に一時的に停留しているファール球がある状態で上球皿を開放したとしても、これらのファール球はカバー部材で機前側に落下することが防止される。また、下球皿から球回収口を介して遊技補助盤の前面側に侵入させた異物は、前記案内防止壁によりファール球口側への侵入が完全に阻止され、該異物をファール球口を介して遊技盤の遊技領域へ侵入させる不正行為が不可能となる。
【０００９】
【発明の実施の形態】
次に、本発明に係るパチンコ遊技機の球処理不正防止構造につき、好適な実施例を挙げて、添付図面を参照しながら以下詳細に説明する。なお本実施例では、縦型遊技機として、遊技店内の設置枠台(島)に所定の縦向き後傾姿勢に固定保持されて遊技に供されるパチンコ機を主に示す。
【００１０】
(パチンコ機の概略説明)
本実施例のパチンコ機Ｐは、その基本的構成の概要として図１に略示するように、外郭保持枠をなす縦長矩形状の外枠Ａの開口前面側に、各種の遊技用構成部材をセットする縦長方形の前枠Ｂが、所要の開閉連結支持部および施錠手段を利用して横開き形態で開閉および着脱が可能に組付けられている。そしてこの前枠Ｂの前面側に、遊技盤Ｄの透視保護窓である後述のガラス扉(窓枠)Ｃと、上球皿Ｅを固定装備した開閉板とが、所要の開閉連結支持部を利用して共に横開き形態で開閉可能に組付け整合される。また、前枠Ｂの下部に下球皿Ｆおよび打球発射装置Ｇにおける打球操作部Ｇ1等が装着セットされ、更に前枠Ｂの裏側に各種の球経路および球処理・払出部等を備えた機構セット盤Ｉ(図７参照)がセットされ、これにより一台のパチンコ機が形成される。
【００１１】
(前枠)
前記前枠Ｂは、図２〜図４に示すように、全体が合成樹脂成形されたものが例示され、前記外枠Ａの開口前面域に整合する外形サイズに成形されて内側に正面縦長方形の窓枠口(開口領域)１１を開口した枠体１０と、この枠体１０の裏側に一体成形されて前記窓枠口１１の正面内部に臨む遊技盤用のセット口１３を開口したセット保持枠(セット枠)１２とが、前後に一体的に連設された内外二重枠形態とされている。そして前記枠体１０においては、窓枠口１１の下部に下球皿Ｆや前記打球発射装置Ｇの打球発射部Ｇ2等を設置するための設置盤１４が成形される一方、その中央部に賞球用の給出口１５が開口され、また窓枠口１１の上縁部および右縁部に亘り電光装飾部１６を設置するための設置部１７が成形されている。また前記窓枠口１１は、前面側から出入れ(着脱)される遊技盤Ｄのセット面域および出入れ口ともされ、その下部開口面域内に上球皿Ｅ(開閉板)を開閉可能に組付けセットし得るようになっている。そして、窓枠口１１の開口前面の３周縁(上縁および左右の側縁)を凹設して、ガラス扉Ｃを整合収容し得るセット面域１８が画成されている。
【００１２】
一方、前記セット保持枠１２においては、図２〜図４に示すように、窓枠口１１の下部内側において前記上球皿Ｅに整合する位置に遊技補助盤(「遊技補助枠部」とも云う)２０が一体成形されており、この遊技補助盤２０の上端縁を基準にして前記セット口１３が開口されている。このセット口１３における内周４ヶ所の隅部には、略４５度に形成された斜状壁部２７がセット保持枠１２に一体的に形成されており、これら各斜状壁部２７には、遊技盤Ｄ固定用の取付装置Ｈが設置される。なお、このセット口１３の内周端面に、遊技盤Ｄに対する位置決め用の突座１９,１９が形成されている。ちなみに前枠Ｂは、枠体１０で構成されるタイプのものとして、窓枠口１１の裏側に別成形されたセット保持枠１２を整合固定するものであってもよい。
【００１３】
前記遊技補助盤２０では、その裏側にアウト路２１が形成される他に、正面左側上部に賞球用の給出口２２が開口され、また正面左側には、スピーカ２５を収容したケース体２４からなり、遊技内容に応じた効果音を発生する効果音発生装置２３が設置されている。また正面右側には、遊技盤Ｄの案内レール２８に飛翔連絡される発射レール２６が適宜傾斜で設置され、その下端(右端)の発射位置に上球皿Ｅからの遊技球を着座させ得ると共に、前記打球発射装置Ｇにおける打球発射部Ｇ2の打球杆２９を臨ませ得るようになっている。そして、双方のレール２６,２８について観ると、図３に示すように、発射レール２６の上端と案内レール２８の下端が、遊技補助盤２０の上面に近い下方位置と上方位置にあって、互いに適宜高低差および離隔空間広さを以って対向しており、この開口域をファール球用のファール球口(「戻し口」とも云う)３１として構成している。ちなみに発射レール２６に沿った軌跡を基準に観ると案内レール２８の下端は下位にあり、両レール２６,２８の上,下端が略球１個分の高低差に設定されている。
【００１４】
(球処理不正防止構造)
次に、本実施例に係る球処理不正防止構造につき、各図を参照しながら説明する。この球処理不正防止構造Ｊは、前記ファール球口３１から落下したファール球を下球皿Ｆへ通出案内する「ファール球処理経路」を構成すると同時に、遊技補助盤２０前面から前記遊技盤Ｄの遊技領域９内への異物の不正侵入を阻止する「不正防止構造」としても機能し得るようになっている。すなわち球処理不正防止構造Ｊは、前記遊技補助盤２０の前面中央において、前記ファール球口３１内に落ちたファール球を受入れ得る受け口３２と、この受け口３２からのファール球を回収して前記下球皿Ｆ側へ排出し得る球回収口３３と、前記受け口３２および球回収口３３を覆蓋した状態で遊技補助盤２０の前面に着脱可能に取着するカバー部材３４と、遊技補助盤２０とカバー部材３４との間に形成されて球案内および異物侵入防止を図る案内防止壁３５とから構成されている。
【００１５】
前記受け口３２は、図３に示すように、前記遊技補助盤２０の前面上部において該補助盤２０に一体的に成形されて案内防止壁３５の一部を構成する正面Ｌ形の第１案内壁５５と、前記発射レール２６の上端に配設した当受片３０とにより、前記ファール球口３１に連通して上方に開口したコ字形状に画成されている。そして第１案内壁５５においては、左側の垂直部５５ａが前記遊技盤Ｄにおける案内レール２８の下端部に臨んでいると共に、下側の水平部５５ｂが前記当受片３０の下端部に臨んでいる。従って、打球力不足等によりファール球口３１へ落下した全てのファール球は、この受け口３２内に受け止められて一時的に停留されるようになっている。なお受け口３２は、複数個のファール球を収容し得る広さに設定されている。
【００１６】
前記球回収口３３は、図３に示すように、遊技補助盤２０の中央下部において略矩形状に開口され、回収されたファール球を該遊技補助盤２０の裏側へ通出させるようになっている。そして球回収口３３の裏側には、図７に示すように、前枠Ｂと該前枠Ｂの裏側に装着された前記機構セット盤Ｉとにより、該球回収口３３と前記給出口１５とを連通する回収路３６が形成されており、球回収口３３から裏側へ通出されたファール球は、この回収路３６および給出口１５を介して下球皿Ｆへ排出される。なお回収路３６は、図７に示すように、枠体１０の庇片部３７と機構セット盤Ｉの庇片部３８とにより側面屈曲状態に延在しており、通出されるファール球の勢いが減勢されるようになっている。
【００１７】
前記カバー部材３４は、図５および図６に示すように、略正方形の所要サイズに樹脂成形された本体４２からなり、前記第１案内壁５５を含む案内防止壁３５の形状に合致する形状に形成された壁４３を境界として、この壁４３の下方手前側に形成された第１蓋壁４４と、該壁４３の上方奥側に形成された第２蓋壁４５とが、前後段差状態となっている。また、前記本体４２の略中央における第１蓋壁４４には、前方へ開口したスイッチ装着部４６が一体成形されており、ファール球の通過を検出する検出部６０ａを備えたスイッチ６０を着脱可能に装着し得るよう構成されている。なおスイッチ装着部４６の右側には、弾性変形可能な係止片４７が設けられており、該スイッチ装着部４６にセットしたスイッチ６０を係止保持するようになっている。そして、前記本体４２の下部両側には、前記遊技補助盤２０の前側に形成された係止部３９,３９に対して係脱可能に係合し得る係合部４８,４８が形成され、また本体４２の左側上部の裏面には、前記第１案内壁５５の垂直部５５ａに形成された係合孔５１に嵌合する係合ボス４９が形成されると共に、第２蓋壁４５には、前記第１案内壁５５の水平部５５ｂに形成されたビス孔５２に整合する通孔５０が形成されている。このように形成されたカバー部材３４は、遊技補助盤２０の前側操作において、前記係止部３９,３９と係合部４８,４８との係合と、前記係合孔５１と係合ボス４９との係脱を利用して遊技補助盤２０に位置決めセットされると共に、通孔５０を介してビス孔５２に締付けられるビス５３により確実に固定化保持される。
【００１８】
前記案内防止壁３５は、前記受け口３２に入ったファール球を前記球回収口３３に向けて案内すると共に、遊技補助盤２０前面から前記遊技盤Ｄ内への異物の不正侵入を阻止するよう機能する。すなわち案内防止壁３５は、図３に示すように、受け口３２を形成する前記第１案内壁５５と、この第１案内壁５５の水平部５５ｂの略中央から前記球回収口３３の上方へ形成された正面略Ｌ形状の第２案内壁５６と、前記水平部５５ｂの右端部から遊技補助盤２０の下端部まで形成されたＬクランク形状の第３案内壁５７とから構成されている。そして、第２案内壁５６と第３案内壁５７とは、パチンコ球の直径よりも適宜大きい間隔を以って形成されており、これら両案内壁５６,５７によりＬ形のファール球案内樋５８が形成されている。すなわち前記受け口３２内に受け止められたファール球は、水平部５５ｂの通出口５９を介してファール球案内樋５８へ通出され、球回収口３３の右側に落下した後に該球回収口３３へ通出されるようになっている。なお前記ファール球案内樋５８には、前記カバー部材３４に形成したスイッチ装着部４６に整合する部位に、スイッチ６０が嵌合される溝部５８ａが形成される。
【００１９】
このように構成された本実施例の球処理不正防止構造Ｊでは、前記受け口３２と球回収口３３および案内防止壁３５を覆蓋するようにカバー部材３４を取着すると、図７および図８に示すように、前記案内防止壁３５の各案内壁５５,５６,５７の端部と、カバー部材３４の本体４２における第２蓋壁４５の裏面とが密着する。これにより本実施例のパチンコ機Ｐでは、下球皿Ｆから給出口１５,回収路３６,球回収口３３を介して遊技補助盤２０の前面に異物Ｗを侵入させることはできるとしても、前記案内防止壁３５およびカバー部材３４により、ファール球口３１側への該異物Ｗの侵入を完全に阻止するようになっており、該ファール球口３１から遊技領域９内へ異物Ｗを侵入させようとする不正行為を好適に防止することができる。
【００２０】
なお、遊技補助盤２０の正面左側に装着された前記効果音発生装置２３は、前記賞球用の給出口２２の下方に設置されているため、該給出口２２から落下した零れ球をケース体２４の球受け案内部２４ａで当て受け、前記球回収口３３側へ通出するようになっている。すなわち、前記球回収口３３の左側に形成された隔壁４０の上端部と前記第１案内壁５５との間が所要の大きさに開口しており、例えば上球皿Ｅの開放により前記給出口２２内に貯留されていた賞球が前方へ落下した際には、前記球受け案内部２４ａで当て受けた後に、ファール球と同様に球回収口３３および回収路３６を介して下球皿Ｆへ通出する。
【００２１】
【実施例の作用】
次に、前述のように構成された本実施例に係るパチンコ遊技機の球処理不正防止構造の作用につき説明する。
【００２２】
本実施例のパチンコ機における球処理不正防止構造Ｊでは、パチンコ機Ｐの製造段階において、セット保持枠１２における遊技補助盤２０の前面所要位置に、案内防止壁３５の各案内壁５５,５６,５７が一体成形される。そして、別途成形されたカバー部材３４は、下部に形成された各係合部４８,４８を遊技補助盤２０に形成された対応の係止部３９,３９に係合させた後、左側上部の係合ボス４９を係合孔５１に嵌挿させることで、受け口３２,球回収口３３,ファール球案内樋５８を覆蓋した状態で遊技補助盤２０にセットされる。なお、通孔５０を介してビス孔５２にビス５３を締め込むことにより、カバー部材３４は、遊技補助盤２０に固定化保持される。また、カバー部材３４のスイッチ装着部４６に所定のスイッチ６０を装着し、該スイッチ６０の検出部６０ａを前記ファール球案内樋５８へ臨ませる。
【００２３】
本実施例のパチンコ機Ｐにおいては、上球皿Ｅを閉鎖セット状態に保持したもとで遊技に供される。そして、通常のパチンコゲームとして、上球皿Ｅ内に遊技用のパチンコ球が投入(貯留)された前提において、該上球皿Ｅ側に装着された球送り装置の球送り作動と、前記打球発射装置Ｇにおける打球発射部Ｇ2の打球作動との協働により、遊技球が１球ずつ発射レール２６の発射部位に送り込まれて着座後に打球杆２９で打出される。そして発射された遊技球は、発射レール２６からファール球口３１を飛び越えて遊技盤Ｄの案内レール２８に沿って飛走して遊技領域９内へ打込まれ、各方向へ移動,落下しながら入賞口へ入ったものがセーフ球、入賞口へ入らずに最終的にアウト口に回収されたものがアウト球として区分通出される。
【００２４】
このようなパチンコゲームにあって、発射部位から１球ずつ適正に打出された遊技球は、その打球力(発射力)を以って発射レール２６に延長する軌跡上に沿って上端からファール球用のファール球口３１を飛び越えて案内レール２８の下部に到達し、そのまま同レール２８に沿って上昇飛走しながら遊技領域９内へ正常に打込まれる。しかしながら発射部位から発射されたものの、打球力不足等に起因して遊技領域９内へ到達し得なかった遊技球については、ファール球(戻り球)としてファール球口３１に転落することになり、このファール球はゲーム中に不定期ながら案外多く発生することがある。なおファール球については、案内レール２８の途中まで上昇飛走した後に戻るもの、案内レール２８の下部に到達したものの下端から転落するもの、案内レール２８に到達しないまま発射レール２６の上端から転落するものがある。
【００２５】
そして本実施例のパチンコ機Ｐでは、前述のように発生したファール球を、次のようにして好適に回収処理し得る。すなわち、案内レール２８の下端からのファール球は前記当受片３０で一旦当て受け、また発射レール２６の上端からのファール球を第１案内壁５５における垂直部５５ａで一旦当て受け、全てのファール球を受け口３２内に一旦受け入れる。そして、受け口３２内に回収されたファール球は、その勢いが適宜減勢された後、通出口５９からファール球案内樋５８を通って球回収口３３の右側に落下した後、この球回収口３３から裏側の回収路３６および給出口１５を介して下球皿Ｆの皿部内に回収される。なおファール球は、ファール球案内樋５８を移動するに際し、前記スイッチ６０の検出部６０ａを通過して検出される。
【００２６】
ところで本実施例のパチンコ機Ｐでは、前記球処理不正防止構造Ｊにより、遊技機前側の下球皿Ｆに臨む球回収口３３を利用して、針金状や帯状材等の異物Ｗを遊技盤Ｄの遊技領域９に侵入させる不正行為を好適に阻止し得る。すなわち不正者が、下球皿Ｆの皿部内から給出口１５を介して侵入させた異物Ｗを、回収路３６,球回収口３３を介して遊技補助盤２０の前面側に侵入させ、前記ファール球口３１を介して遊技盤Ｄの遊技領域９へ侵入させようとした場合には、前述すると共に図７に示すように、案内防止壁３５における前記各案内壁５５,５６,５７がファール球口３１側を完全に隔離していると共に、各案内壁５５,５６,５７の端部と前記カバー部材３４の第２蓋壁４５とが完全に密着しているので、前記異物Ｗをファール球口３１側へ侵入させることは全く不可能である。従って、本実施例の球処理不正防止構造Ｊによれば、下球皿Ｆから侵入させた異物Ｗをファール球口３１を介して遊技盤Ｄの遊技領域９へ侵入させることを完全に阻止し得る。
【００２７】
なお前記実施例では、案内防止壁３５の各案内壁５５,５６,５７を遊技補助盤２０に一体成形する形態を例示したが、これら各案内壁５５,５６,５７により形成される受け口３２やファール球案内樋５８を別部材からなる一体成形部品とすると共に、この部品を遊技補助盤２０の前面にビス等により取着する形態としてもよい。
【００２８】
【発明の効果】
以上説明した如く、本発明に係るパチンコ遊技機の球処理不正防止構造によれば、ファール球に連通する受け口と球回収口および案内防止壁を覆蓋するようにカバー部材を遊技補助盤に取着したので、受け口や球回収口付近に一時的に停留していたファール球が、上球皿の開放により機前側へ落下することを好適に防止し得る利点がある。また、ファール球口と球回収口との間に案内防止壁を形成すると共に、この案内防止壁と前記カバー部材とを密着させたことにより、遊技機前面側において、下球皿から球回収口を介して遊技補助盤の前側に侵入させた異物を、ファール球口を介して遊技盤の遊技領域に侵入させる不正行為を完全に阻止し得る等の極めて有益な効果を奏する。
【図面の簡単な説明】
【図１】本実施例のパチンコ機を概略で示す正面図である。
【図２】本実施例のパチンコ機における前枠を概略で示す正面図である。
【図３】枠体の設置盤およびセット保持枠の遊技補助盤を示す正面図である。
【図４】本実施例の球処理不正防止構造におけるカバー部材および効果音発生装置を遊技補助盤に組付ける形態を概略で示す斜視図である。
【図５】本実施例の球処理不正防止構造におけるカバー部材を、スイッチ装着部にスイッチを装置する状態で示す概略斜視図である。
【図６】本実施例の球処理不正防止構造におけるカバー部材を概略的に示す正面図である。
【図７】本実施例の球処理不正防止構造により、下球皿側から球回収口を介して遊技補助盤の前面に侵入させた異物のファール球口側への侵入が阻止されている状態で示す縦断側面図である。
【図８】本実施例の球処理不正防止構造を示す横断平面図である。
【符号の説明】
１１ 窓枠口(開口領域)
１２ セット保持枠(セット枠)
２０ 遊技補助盤
２６ 発射レール
２８ 案内レール
３１ ファール球口
３２ 受け口
３３ 球回収口
３４ カバー部材
３５ 案内防止壁
３９ 係止部
４２ 本体
４８ 係合部
Ａ 外枠
Ｂ 前枠
Ｃ ガラス扉(窓枠)
Ｄ 遊技盤
Ｅ 上球皿
Ｆ 下球皿
【図１】
0004029244.tif 000002
【図２】
0004029244.tif 000003
【図３】
0004029244.tif 000004
【図４】
0004029244.tif 000005
【図５】
0004029244.tif 000006
【図６】
0004029244.tif 000007
【図７】
0004029244.tif 000008
【図８】
0004029244.tif 000009